(57)【要約】      （修正有）【課題】二層式ゴルフクラブグリップ構造を提供する。【解決手段】内層グリップ１０及び外層グリップ２０を含み、該内層グリップ及び外層グリップは、それぞれ属性の異なるプラスチップ又はゴム材質からなる。該外層グリップは、透明層であり、内層グリップの外表面に当接する。外層グリップ及び内層グリップのそれぞれを異なる柔軟性とし、柔軟性の低い層は、組み立ての際に充分な剛性を有し、組立作業が便利になり、柔軟性の高い層は、ユーザによい握り心地及び振動吸収の効果を提供することができ、スイングショットに有利になる。【選択図】図１
0003169337.tif 000002
【実用新案登録請求の範囲】
【請求項１】
内層グリップ及び外層グリップを含み、前記内層グリップは、内部にゴルフクラブの末端を収容するための収容空間を有し、前記外層グリップは、内層グリップの外表面に当接する二層式ゴルフクラブグリップ構造であって、
前記内層グリップの表面に標示領域が設けられ、前記標示領域は美観又は標示のための花模様、線条、パターン又は文字を有し、前記内層グリップは熱硬化性ゴムからなり、前記外層グリップは透明性であり、熱可塑性プラスチックからなることを特徴とする二層式ゴルフクラブグリップ構造。
【考案の詳細な説明】
【技術分野】
【０００１】
本考案は、二層式ゴルフクラブグリップ構造に関し、特に美観や実用性の効果を兼ねるグリップに関するものである。
【背景技術】
【０００２】
ゴルフ用品の開発技術の向上及びゴルフ運動の普及に伴い、ユーザは、ボール用具の品質に対する要求がますます厳しくなり、多様化してきている。ゴルフクラブのグリップは、ユーザが握るために、よい握り心地のみだけではなく、スイングショット効果を向上させる特性を有しなければならない。一般に、ゴルフクラブのグリップは、プラスチックからなる単層構造であり、クラブがグリップに入れられた後、グリップがクラブによって緊締され、飽和な過度接触となり、このため、緊締されたグリップの弾性、振動吸収の緩衝能力が低下してしまう。ユーザがグリップを握ってスイングショットする場合は、スイングショットの瞬間に振動力が発生し、スイングショット動作に悪い影響を与えることがある。さらに、プラスチックの膨張効果のため、クラブは、高温の環境下においてグリップがクラブの外径によって拡張され定型される。これによって、グリップとクラブとの間の緊密性が悪くなり、２者の間の組み合わせに問題が生じ、グリップが脱落又は落下することがある。また、グリップの美観性に対しては、通常、グリップの外表面に一体成形となる花模様を設けることが要求される。該グリップの外側に露出された花模様が長期にわたってユーザに握られた後、摩擦により線条がぼやけて、色濁り等の問題が生じ、もともと美観性を増加させるためのデザインがかえって外観上の瑕疵となってしまう。
【考案の概要】
【０００３】
そこで、本考案は、グリップ構造を提供し、特に美観や実用性の効果を兼ねるグリップを提供することを目的とする。
【課題を解決するための手段】
【０００４】
上述した目的を達成するために、本考案は、内層グリップ及び外層グリップを含み、前記内層グリップは、内部にゴルフクラブの末端を収容するための収容空間を有し、前記外層グリップは、内層グリップの外表面に当接する二層式ゴルフクラブグリップ構造を提供する。また、本考案の主要な特徴としては、前記内層グリップ及び外層グリップはそれぞれ属性の異なるプラスチック又はゴム材質からなり、より詳しくは、前記内層グリップは、熱硬化性ゴムからなり、前記外層グリップは、透明状であり、熱可塑性プラスチックからなることである。また、前記内層グリップの表面には美観又は標示のための標示領域が設けられ、前記標示領域は、花模様、線条、パターン又は文字等である。
【考案の効果】
【０００５】
本考案は、内層グリップと外層グリップとを組み合わせることにより、下記の効果を奏することができる。
１． 層グリップ及び内層グリップのそれぞれを異なる柔軟性とし、柔軟性の低い層は、組み立ての際に充分な剛性を有し、組立作業が便利になり、柔軟性の高い層は、ユーザによい握り心地及び振動吸収の効果を提供することができ、スイングショットに有利になる。
２． 記内層グリップの表面には標示領域を有し、透明の外層グリップが内層グリップの外表面に被覆された後、内層グリップの標示領域の色彩、花模様、線条、パターン又は文字等を外側からはっきり見ることができるため、該標示領域による繊細質感の美観特性を呈するとともに商品の価値を向上することができる。また、標示領域は、透明の外層グリップによって保護され、ユーザによる直接接触を回避することができるため、長期的な使用を確保することができる。
【図面の簡単な説明】
【０００６】
【図１】本考案に係る一実施例の立体模式図を示す。
【図２】本考案に係る一実施例の断面図を示す。
【図３】本考案に係る成形模式図を示す。
【考案を実施するための形態】
【０００７】
以下、図面に示す実施例を参照しながら、本考案に係る技術手段及び構造特徴を詳しく説明する。本考案を詳しく説明する前に、ここで注意すべき点は、本考案の図面は本考案の基本構造を模式的に示したものであるため、図面において本考案に関係する素子のみ示され、示された素子の数、形状、寸法の比例はいずれも選択性のデザインであることである。
【０００８】
図１及び図２を参照して、本考案に係るゴルフクラブグリップ構造は、内層グリップ１０及び外層グリップ２０を含む。内層グリップ１０は、弾性を有する膠質材料からなり、該膠質材料は、熱硬化性ゴムであるのが好ましい。内層グリップ１０は、内部にゴルフクラブの末端を収容するための収容空間を有する。内層グリップ１０の表層には標示領域１１が設けられ、標示領域１１は、単一又は複数の色を有してもよいし、美観又は標示のための花模様、線条、パターン又は文字等を有してもよい。標示領域１１は、内層グリップ１０の製造と同時に形成されてもよいし、内層グリップ１０の製造の後に後続の加工工程により製造されてもよい。
【０００９】
外層グリップ２０は、弾性を有する膠質材料からなり、内層グリップ１０の外表面に当接する層であり、該膠質材料は、透明材質の熱可塑性プラスチックであるのが好ましい。
【００１０】
図３に示すように、本考案に係る二層式ゴルフクラブグリップ構造は、成形時に、まず内層グリップ１０を独立に成形するとともに内層グリップ１０を成形金型３０の金型チャンバーに入れることにより、内層グリップ１０が成形金型３０によって支持固定される。次に、成形金型３０のインレット通路３１から外層グリップ２０の成形材料を注入することにより、外層グリップ２０を内層グリップ１０の外表面に成形し、グリップの製造を完成する。
【００１１】
本考案に係るグリップによれば、内層グリップ１０及び外層グリップ２０は、それぞれ属性の異なるプラスチップ又はゴム材質からなり、外層グリップ２０は、透明材質である。従って、内層グリップ１０及び外層グリップ２０に適当な弾性係数を付与することができる。
【００１２】
好ましい実施例において、外層グリップ２０の生地を内層グリップ１０より柔らかくすることにより、生地の硬い内層グリップ１０が組み立てを容易にするための剛性を有し、ゴルフクラブの組み立てがより容易になる。生地の柔らかい外層グリップ２０を内層グリップ１０の外表面に嵌設した後、ユーザによい握り心地及びスイングショットの振動吸収効果を提供することができ、スイングショットに有利になる。
【００１３】
他の実施例において、外層グリップ２０の生地を内層グリップ１０より硬くすることにより、生地の硬い外層グリップ２０が使用時の耐久性を、グリップの使用寿命を高めることができる。また、木地の柔らかい内層グリップ１０を裏面層に配置することにより、振動吸収、緩衝能力の発揮に寄与することができる。
【００１４】
内層グリップ１０が熱硬化性ゴムからなり、外層グリップ２０が透明状であり、熱可塑性プラスチックからなるため、外表面において外層グリップ２０と内層グリップ１０とが組み合わせられクラブが組み立てられた場合、内層グリップ１０の熱硬化性ゴム特性は高温によって変形することなく、クラブが高温の環境下において、グリップとクラブとの間の緊密性を均一に保持することができ、組み合わせ性の優れた効果を確保することができる。また、内層グリップ１０及び外層グリップ２０の柔軟程度は、調整可能であり、さらにはユーザの異なる必要に応じてカスタマイズ化生産してもよい。
【００１５】
具体的な実施例において、内層グリップ１０の外表面には標示領域１１が設けられている。透明の外層グリップ２０を内層グリップ１０の外表面に被覆した後、外層グリップ２０の透明特性により、内層グリップ１０の標示領域１１の所定の色彩、花模様、線条、パターン又は文字を外側から外層グリップ２０を介してはっきり見ることができるため、標示領域によって繊細質感の美観特性を呈するとともに商品の価値を向上することができる。標示領域１１は、透明の外層グリップ２０の保護によりユーザによる直接接触を回避することができ、標示領域の線条の明瞭、色の鮮やかさ及び長期的な使用を確保することができる。
【００１６】
図に示す内層ユニット１０及び外層ユニット２０の寸法比例は、選択性のデザインであり、両者の間は、実際の需要に応じて厚薄の比例を調整することができる。本考案の図面において、標示領域１１は、ほぼ円形パターンの構成となっているが、標示領域１１をその他の花模様、パターン又は文字等で表現してもよい。内層グリップ１０と外層グリップ２０との組み合わせにより、本考案に係る二層式ゴルフクラブグリップ構造は、美観及び実用性の効果を兼ねるようになり、新規なゴルフクラブグリップ構造を提供することができる。
【００１７】
従来のグリップに比して、本考案に係るグリップは、明らかに進歩性を備える。また、上述したものは、本考案の好ましい実施例に過ぎず、本考案の実施の範囲を限定するためのものではなく、本考案の明細書及び図面内容に基づいてなされた均等な変更および付加は、いずれも本考案の特許請求の範囲内に含まれるものとする。
【００１８】
以上のように、本考案では、内層グリップ及び外層グリップを含み、前記内層グリップは、内部にゴルフクラブの末端を収容するための収容空間を有し、前記外層グリップは、内層グリップの外表面に当接する二層式ゴルフクラブグリップ構造であって、前記内層グリップの表面に標示領域が設けられ、前記標示領域は美観又は標示のための花模様、線条、パターン又は文字を有し、前記内層グリップは熱硬化性ゴムからなり、前記外層グリップは透明性であり、熱可塑性プラスチックからなることを特徴とする二層式ゴルフクラブグリップ構造とするものである。
【産業上の利用可能性】
【００１９】
本考案に係る二層式ゴルフクラブグリップ構造によれば、柔軟性の低い層は、組み立ての際に充分な剛性を有し、組立作業が便利になり、柔軟性の高い層は、ユーザによい握り心地及び振動吸収の効果を提供することができ、スイングショットに有利になるとともに、前記内層グリップの表面には標示領域を有し、透明の外層グリップが内層グリップの外表面に被覆された後、内層グリップの標示領域の色彩、花模様、線条、パターン又は文字等を外側からはっきり見ることができるため、該標示領域による繊細質感の美観特性を呈することができ、商品の価値を向上することができる。
【符号の説明】
【００２０】
１０  内層グリップ
１１  標示領域
２０  外層グリップ
３０  成形金型
３１  インレット通路
【図１】
0003169337.tif 000003
【図２】
0003169337.tif 000004
【図３】
0003169337.tif 000005